(57)【要約】【目的】  電源スイッチの操作で再起動処理を行うことができる電源制御装置を提供するを提供する。【構成】  電源スイッチＳＷ１が操作されたことを示す制御信号が制御マイコン１の電源制御入力ＩＮに入力されると、この制御マイコン１によって電源部４のＯＮ／ＯＦＦ処理が行われる。電源ＯＦＦ（待機状態）でも制御マイコン１にはマイコン用電源５によって電力供給がなされる。前記電源部４からの供給電力と前記制御信号とによって当該制御信号を時間的に遅延させた遅延信号が遅延回路３にて生成される。そして、前記制御マイコン１の動作不能状態時に前記電源スイッチＳＷ１に対する操作状態が前記遅延時間を超えて継続したときに、前記遅延信号は前記制御マイコン１のリセット用の信号として作用する。【選択図】        図１
2005216058.tif 000002
【特許請求の範囲】
【請求項１】
電源スイッチが操作されたことを示す制御信号がマイクロコンピュータに入力され、このマイクロコンピュータによって電源のＯＮ／ＯＦＦ処理が行われる電源制御装置において、電源ＯＦＦでも前記マイクロコンピュータに電力供給を行うマイクロコンピュータ用電源と、前記ＯＮ／ＯＦＦされる電源からの供給電力と前記制御信号とによって当該制御信号を時間的に遅延させた遅延信号を生成する手段と、を備え、前記マイクロコンピュータの動作不能状態時に前記電源スイッチに対する操作状態が前記遅延時間を超えて継続したときに、前記遅延信号が前記マイクロコンピュータのリセット用の信号として作用するように構成されたことを特徴とする電源制御装置。
【請求項２】
電源スイッチが操作されたことを示す制御信号がマイクロコンピュータに入力され、このマイクロコンピュータによって電源のＯＮ／ＯＦＦ処理が行われる電源制御装置において、電源ＯＦＦでも前記マイクロコンピュータに電力供給を行うマイクロコンピュータ用電源と、前記ＯＮ／ＯＦＦされる電源からの供給電力と前記制御信号とによって当該制御信号を時間的に遅延させた遅延信号を生成する手段と、を備え、前記マイクロコンピュータの動作不能状態時に前記電源スイッチに対する操作状態が前記遅延時間を超えて継続したときに、前記遅延信号が前記マイクロコンピュータへの電力供給を停止させる信号として作用するように構成されたことを特徴とする電源制御装置。
【発明の詳細な説明】
【技術分野】
【０００１】
この発明は、電源スイッチが操作されたことを示す制御信号がマイクロコンピュータに入力され、このマイクロコンピュータによって電源のＯＮ／ＯＦＦ処理が行われる電源制御装置に関する。
【背景技術】
【０００２】
従来、この種の電源制御装置において、前記マイクロコンピュータ（以下、マイコンという）が正常なプログラム実行ができない状態に陥り、制御処理が不能の状態（動作不能状態：ハングアップ）に陥った場合、前記マイコンによる電源制御が不能になる。この場合、マイコンリセット用の専用スイッチを設けることにより、ハングアップから脱することが可能である（特許文献１参照）。
【特許文献１】特開２００１−２１１２３２号公報
【発明の開示】
【発明が解決しようとする課題】
【０００３】
しかしながら、特に民生機器（テレビジョンセット等）においては、電源スイッチの操作が不能になる状態、及びそのような場合に別に設けられた専用のリセットスイッチを操作するということは、一般的なユーザに認知されておらず、ユーザにとって使いづらいとものであった。
【０００４】
この発明は、電源スイッチの操作で再起動処理を行うことができる電源制御装置を提供することを目的とする。
【課題を解決するための手段】
【０００５】
この発明の電源制御装置は、上記の課題を解決するために、電源スイッチが操作されたことを示す制御信号がマイクロコンピュータに入力され、このマイクロコンピュータによって電源のＯＮ／ＯＦＦ処理が行われる電源制御装置において、電源ＯＦＦでも前記マイクロコンピュータに電力供給を行うマイクロコンピュータ用電源と、前記ＯＮ／ＯＦＦされる電源からの供給電力と前記制御信号とによって当該制御信号を時間的に遅延させた遅延信号を生成する手段と、を備え、前記マイクロコンピュータの動作不能状態時に前記電源スイッチに対する操作状態が前記遅延時間を超えて継続したときに、前記遅延信号が前記マイクロコンピュータのリセット用の信号として作用するように構成されたことを特徴とする。
【０００６】
上記の構成であれば、電源スイッチは電源ＯＮ／ＯＦＦのための本来のスイッチとして機能すると共に、万が一マイクロコンピュータが動作不能状態となった場合には、前記電源スイッチの操作がマイクロコンピュータに対するリセットのためのスイッチとなる。従って、マイクロコンピュータの再起動のために専用のスイッチを設ける必要はなくなり、ユーザにとって操作し易い装置を提供することが可能になる。
【０００７】
また、この発明の電源制御装置は、電源スイッチが操作されたことを示す制御信号がマイクロコンピュータに入力され、このマイクロコンピュータによって電源のＯＮ／ＯＦＦ処理が行われる電源制御装置において、電源ＯＦＦでも前記マイクロコンピュータに電力供給を行うマイクロコンピュータ用電源と、前記ＯＮ／ＯＦＦされる電源からの供給電力と前記制御信号とによって当該制御信号を時間的に遅延させた遅延信号を生成する手段と、を備え、前記マイクロコンピュータの動作不能状態時に前記電源スイッチに対する操作状態が前記遅延時間を超えて継続したときに、前記遅延信号が前記マイクロコンピュータへの電力供給を停止させる信号として作用するように構成されたことを特徴とする。
【０００８】
上記の構成であれば、電源スイッチは電源ＯＮ／ＯＦＦのための本来のスイッチとして機能すると共に、万が一マイクロコンピュータがハングアップした場合には、前記電源スイッチの操作がマイクロコンピュータへの電力供給を停止させるためのスイッチとなる。従って、マイクロコンピュータの再起動のために専用のスイッチを設ける必要はなくなり、ユーザにとって操作し易い装置を提供することが可能になる。
【発明の効果】
【０００９】
この発明によれば、電源スイッチによって電源ＯＮ／ＯＦＦ操作と共にマイクロコンピュータに対する再起動操作が行えることになり、ユーザにとって操作し易い装置を提供できるという効果を奏する。
【発明を実施するための最良の形態】
【００１０】
（実施形態１）
以下、この発明の実施形態の電源制御装置を図１乃至図３に基づいて説明する。図１は電源制御装置の回路図であり、図２は電源ＯＮ時の処理を示したフローチャートであり、図３は電源ＯＦＦ時の処理を示したフローチャートである。
【００１１】
電源部（＋Ｂ）４は制御マイコン（マイクロコンピュータ）１の電源制御出力部ＯＵＴから出力される制御信号によってＯＮ／ＯＦＦされる。電源部４は図示しない電源トランスの二次側において構成されており、装置（例えば、テレビジョンセット）の各部に電力を供給する。
【００１２】
電源スイッチ（この実施形態では、タクトスイッチとしている）ＳＷ１の一端側は信号線２を介して制御マイコン１の電源制御入力部ＩＮに接続されており、他端側はアースに接続されている。また、電源制御入力部ＩＮは抵抗Ｒ１を介してトランジスタＴｒ１のベースに接続されている。トランジスタＴｒ１のコレクタには抵抗Ｒ２を介して電源部４から電力が供給される。トランジスタＴｒ１のエミッタは抵抗Ｒ３及びコンデンサＣ１で形成される遅延回路３に接続されている。遅延回路３は抵抗Ｒ４（並列接続）及び抵抗Ｒ５（直列接続）を介してトランジスタＴｒ２のベースに接続されている。
【００１３】
トランジスタＴｒ２のエミッタはアース接続されており、コレクタはコンデンサＣ２（並列接続）と抵抗Ｒ７（直列接続）とコンデンサＣ（並列接続）とを介して制御マイコン１のリセット端子（reset ）に接続されている。マイコン用電源（Ｖｃｃ）５は、前記電源トランスの二次側において構成されており、制御マイコン１に常時電力を供給する。また、マイコン用電源５は抵抗Ｒ１０を介して信号線２に電圧を印加し、また、抵抗６を介してトランジスタＴｒ２のコレクタに電圧を印加している。
【００１４】
（電源ＯＦＦ状態：待機状態）
電源ＯＦＦ状態においては電源部４による電力供給は行われないが、マイコン用電源部５による電力供給は維持される。トランジスタＴｒ１はＯＦＦ状態であり、制御マイコン１のリセット端子はＨｉｇｈ状態である。
【００１５】
（電源ＯＦＦ状態での電源スイッチ操作→電源ＯＮ）
電源部４は停止状態であるから、電源スイッチＳＷ１の押下操作がなされてもトランジスタＴｒ１はＯＦＦ状態を維持することになり、トランジスタＴｒ２がＯＮすることはない。このため、リセット端子のＨｉｇｈ状態が維持される。一方、電源スイッチＳＷ１の押下操作によって制御マイコン１の電源制御入力部ＩＮはＬｏｗ状態となる。図２のフローチャートに示すように、制御マイコン１は、電源制御入力部ＩＮがＬｏｗ状態となり（電源スイッチＳＷ１を指にて押下：ステップＳ１でＹＥＳ）、その後に電源制御入力部ＩＮがＨｉｇｈ状態になると（電源スイッチＳＷ１から指を離す：ステップＳ２でＹＥＳ）、電源制御出力部ＯＵＴから電源部４を起動させるための信号を出力する（ステップＳ３）。これにより、電源部４が起動して装置は電源ＯＮ状態となる（ステップＳ４）。電源部４が起動したときには、上述のごとく電源スイッチＳＷ１からは指が離されていることになるから、トランジスタＴｒ１はＯＦＦ状態であり、制御マイコン１によるリセット動作が行われることはない。別言すれば、電源スイッチＳＷ１を長く押し続けたとしても、押している状態が続く限り電源部４は起動しないので、リセット動作が行われることはない。
【００１６】
（電源ＯＮ状態）
電源ＯＮ状態においては電源部４及びマイコン用電源部５による電力供給が行われている。トランジスタＴｒ１及びトランジスタＴｒ２はＯＦＦ状態であり、制御マイコン１のリセット端子はＨｉｇｈ状態である。図３のフローチャートに示すように、ステップＳ１１では、電源スイッチＳＷ１が押されない限りＮＯとなり、定常処理が行われる（ステップＳ１２）。
【００１７】
（電源ＯＮ時での電源スイッチ操作→電源ＯＦＦ）
電源ＯＮ状態において電源スイッチＳＷ１が押されると、この電源スイッチＳＷ１を介して信号線２がアースされ、制御マイコン１の電源制御入力部ＩＮはＬｏｗ状態になる（ステップＳ１１でＹＥＳ）。同時に、前記アースによってトランジスタＴｒ１のベースはアースされるのでトランジスタＴｒ１はＯＮし、電源部４から供給される電力は遅延回路３で時間的な遅延が行われた後にトランジスタＴｒ２のベースに印加される。この印加によってトランジスタＴｒ２はＯＮし、制御マイコン１のリセット端子の入力はＬｏｗ状態となる。ただし、このリセット端子のＬｏｗは、電源部４がＯＮ状態のままとなること（すなわち、後述するごとく、制御マイコン１のハングアップ状態となること）を前提として成り立つ。
【００１８】
制御マイコン１は、装置のＯＮ状態において電源制御入力部ＩＮがＬｏｗ状態になると（電源スイッチＳＷ１が押下されると）、その電源制御出力部ＯＵＴから電源部４を停止させるための信号を出力する（ステップＳ１３）。これにより、電源部４がＯＦＦして装置は電源ＯＦＦされる（待機状態となる）。前記遅延回路３による遅延時間よりも電源部４のＯＦＦが早く実行されることで、トランジスタＴｒ２はＯＮされずに前記リセット端子はＨｉｇｈのままとなり、制御マイコン１によるリセット動作は実行されない。すなわち、予定通りに装置ＯＦＦの処理が実行される。また、制御マイコン１は図示しない外部メモリに待機状態であることを示す情報を書き込む（ステップＳ１４）。
【００１９】
（電源ＯＮ状態で制御マイコンがハングアップしたとき）
電源のＯＮ状態で制御マイコン１がハングアップした場合、電源スイッチＳＷ１が押下されて電源制御入力部ＩＮの状態がＬｏｗに変化しても、制御マイコン１は何の処理も実行できない。だが、このハングアップ状態では電源部４のＯＮ状態が維持されることになり、電源スイッチＳＷ１を遅延回路３の遅延時間よりも長い時間押し続けたとすると、トランジスタＴｒ２がＯＮすることになり、制御マイコン１のリセット端子の入力はＬｏｗ状態となる。これにより、制御マイコン１は強制的にリセットされる。制御マイコン１はリセット処理で電源制御出力部ＯＵＴから電源部４を停止させるための信号を出力するように設計されている。このため、制御マイコン１がリセット状態になった後に電源部４からの電力供給は断たれ、トランジスタＴｒ１、Ｔｒ２はＯＦＦ状態となり、制御マイコン１はリセット状態から開放され、図２に示した処理を開始し、装置は正常な処理の下で電源ＯＮされることになる。ユーザが電源スイッチＳＷ１を再度押下することで装置は電源ＯＦＦ（待機状態）となる。
【００２０】
なお、上記の例では制御マイコン１のハードウェアリセット回路が制御されることとしたが、これに限らず、ソフトウェア的なリセットポートが制御されるようになっていてもよい。
【００２１】
（実施形態２）
以下、この実施形態の電源制御装置を図４に基づいて説明していく。この実施形態の電源制御装置は、ハングアップの対処として制御マイコン１のＶｃｃ端子への電源供給を制御するものであり、マイコン用電源５とＶｃｃ端子との間にトランジスタＴｒ４を設けると共に、このトランジスタＴｒ４をＯＮ／ＯＦＦさせるトランジスタＴｒ３を設けている。トランジスタＴｒ３のベースはトランジスタＴｒ２のコレクタに接続され、また、抵抗Ｒ８を介してマイコン用電源５に接続されている。トランジスタＴｒ３はトランジスタＴｒ２によっＯＮ／ＯＦＦ制御される。
【００２２】
（電源ＯＦＦ状態：待機状態）
電源ＯＦＦ状態においては電源部（＋Ｂ）４による電力供給は行われないが、マイコン用電源部（Ｖｃｃ）５による電力供給は維持される。このため、スイッチＳＷ１の状態に関係なくトランジスタＴｒ２はＯＦＦであり、トランジスタＴｒ３及びトランジスタＴｒ４はＯＮ状態となる。従って、制御マイコン１のＶｃｃ端子にはマイコン用電源部５からトランジスタＴｒ４を介して電力が供給される。また、制御マイコン１のリセット端子はＨｉｇｈ状態である。
【００２３】
（電源ＯＦＦ状態での電源スイッチ操作→電源ＯＮ）
電源部４は停止状態であるから、電源スイッチＳＷ１の押下操作がなされてもトランジスタＴｒ１はＯＦＦ状態を維持することになり、トランジスタＴｒ２がＯＮすることはない。従って、リセット端子のＨｉｇｈ状態が維持されると共に、トランジスタＴｒ３，Ｔｒ４がＯＮ状態を維持するので、マイコン用電源５から制御マイコン１のＶｃｃ端子への電力供給状態も維持される。一方、電源スイッチＳＷ１の押下操作によって制御マイコン１の電源制御入力部ＩＮはＬｏｗ状態となる。制御マイコン１は、電源制御入力部ＩＮがＬｏｗ状態となり（電源スイッチＳＷ１を指にて押下）、その後に電源制御入力部ＩＮがＨｉｇｈ状態になると（電源スイッチＳＷ１から指を離すと）、電源制御出力部ＯＵＴから電源部４を起動させるための信号を出力する。これにより、電源部４が起動して装置は電源ＯＮされる。電源部４が起動したときには、上述のごとく電源スイッチＳＷ１からは指が離されていることになる。
【００２４】
（電源ＯＮ状態）
電源ＯＮ状態においては電源部４及びマイコン用電源部５による電力供給が行われている。トランジスタＴｒ１及びトランジスタＴｒ２はＯＦＦ状態、トランジスタＴｒ３及びトランジスタＴｒ４はＯＮ状態であり、制御マイコン１のリセット端子はＨｉｇｈ状態である。
【００２５】
（電源ＯＮ時での電源スイッチ操作→電源ＯＦＦ）
電源ＯＮ状態において電源スイッチＳＷ１が押されると、この電源スイッチＳＷ１を介して信号線２がアースされ、制御マイコン１の電源制御入力部ＩＮはＬｏｗ状態になる。同時に、前記アースによってトランジスタＴｒ１のベースはアースされるのでトランジスタＴｒ１はＯＮし、電源部４から供給される電力は遅延回路３で時間的な遅延が行われた後にトランジスタＴｒ２のベースに印加される。この印加によってトランジスタＴｒ２はＯＮし、トランジスタＴｒ３及びトランジスタＴｒ４はＯＦＦになる。このため、マイコン用電源５から制御マイコン１への電力供給が遮断される。また、制御マイコン１のリセット端子の入力はＬｏｗ状態となる。ただし、電力遮断やリセット端子Ｌｏｗは、電源部４がＯＮ状態のままとなること（すなわち、制御マイコン１のハングアップ状態となること）を前提として成り立つ。
【００２６】
制御マイコン１は、装置のＯＮ状態において電源制御入力部ＩＮがＬｏｗ状態になると（電源スイッチＳＷ１が押下されると）、その電源制御出力部ＯＵＴから電源部４を停止させるための信号を出力する。これにより、電源部４がＯＦＦして装置は電源ＯＦＦされる。前述のごとく、電力遮断やリセット端子Ｌｏｗは電源部４がＯＮ状態であることを前提とする。前記遅延回路３による遅延時間よりも電源部４のＯＦＦが早く実行されることで、トランジスタＴｒ２はＯＮされず、マイコン用電源５から制御マイコン１への電力供給及びリセット端子のＨｉｇｈ状態は維持され、制御マイコン１によるリセット動作は実行されない。すなわち、予定通りに装置ＯＦＦの処理が実行される。
【００２７】
（電源ＯＮ状態で制御マイコンがハングアップしたとき）
電源のＯＮ状態で制御マイコン１がハングアップした場合、電源スイッチＳＷ１が押下されて電源制御入力部ＩＮの状態がＬｏｗに変化しても、制御マイコン１は何の処理も実行できない。だが、このハングアップ状態では電源部４のＯＮ状態が維持されることになり、スイッチＳＷ１を遅延回路３の遅延時間よりも長い時間押し続けたとすると、トランジスタＴｒ２がＯＮし、トランジスタＴｒ３，Ｔｒ４がＯＦＦすることになり、制御マイコン１のＶｃｃ端子への電力供給が遮断される。これにより、制御マイコン１は強制的にリセットされる。制御マイコン１は、電力供給停止によって電源制御出力部ＯＵＴからＬｏｗ（電源部４を停止させるための信号）を出力するように設計されている。従って、電源制御出力部ＯＵＴからのＬｏｗ出力で電源部４が停止されるか、若しくはスイッチＳＷ１から指が離されるかの早い方のタイミングにて制御マイコン１には再びマイコン用電源５からの電力供給が開始される。すなわち、制御マイコン１は強制的に再起動される。
【図面の簡単な説明】
【００２８】
【図１】この発明の実施形態の電源制御装置を示した回路図である。
【図２】電源ＯＮ時の処理内容を示したフローチャートである。
【図３】電源ＯＦＦ時の処理内容を示したフローチャートである。
【図４】この発明の他の実施形態の電源制御装置を示した回路図である。
【符号の説明】
【００２９】
１    制御マイコン
２    信号線
３    遅延回路
４    電源部
５    マイコン用電源
ＳＷ１  電源スイッチ
【図１】
2005216058.tif 000003
【図２】
2005216058.tif 000004
【図３】
2005216058.tif 000005
【図４】
2005216058.tif 000006